(57)【要約】【課題】放送予定番組の内容を告知する番組情報を特別な仕様設定を必要とせずに広範囲に収集できるようにする。【解決手段】番組情報表示装置は、放送予定番組の内容を告知する番組情報を放送信号から取得してこの番組情報を表示用に出力する信号処理部１０と、処理部１０によって取得された番組情報を蓄積する磁気ディスクドライブ１４とを備える。信号処理部１０は番組情報を識別し得る共通の内容的特徴について放送信号を解析し、この解析結果として番組情報であることを確認した場合に少なくとも番組名および放送予定日時に関する番組属性を番組情報から検出し、この番組属性を番組情報に関連付けて磁気ディスクドライブ１４に蓄積させる。【選択図】図１
2010011403.tif 000002
【特許請求の範囲】
【請求項１】
放送予定番組の内容を告知する番組情報を取得してこの番組情報を表示用に出力する処理部と、前記処理部によって取得された前記番組情報を蓄積する番組情報記録部と、放送信号を蓄積する録画部とを備え、前記処理部は、前記録画部によって蓄積した前記放送信号を解析し、解析の結果得られた、少なくとも放送予定番組の番組名および放送予定日時を含む番組属性と合致する前記番組情報を検出し、蓄積された前記放送信号を前記番組情報に関連付けて前記番組情報記録部に蓄積させることを特徴とする番組情報表示装置。
【請求項２】
前記処理部は前記放送予定番組の前記番組属性を、前記放送信号に含まれるテロップ文字、テロップ画像、字幕、データ放送、および音声のいずれかから検出することを特徴とする請求項１に記載の番組情報表示装置。
【請求項３】
前記処理部は、電子番組表を表示用に出力する場合、前記電子番組表において前記番組属性によって特定される番組に対して関連付けられた、前記放送信号から抽出されたサムネイルを出力させることを特徴とする請求項１に記載の番組情報表示装置。
【請求項４】
前記処理部はユーザインタフェースで予約操作を受け付けた場合にこの予約操作の時点の前後一定時間範囲内に放送された前記放送信号を解析して得られた、放送予定番組の番組属性について前記番組情報記録部を検索し、この検索結果として得られる番組に対して予約を実行することを特徴とする請求項１に記載の番組情報表示装置。
【請求項５】
前記処理部はユーザインタフェースで予約操作を受け付けた場合にこの予約操作の時点で前記放送信号を解析し、解析の結果得られた、少なくとも放送予定番組の番組名および放送予定日時を含む番組属性を検出し、この番組属性に合致する番組に対して予約を実行することを特徴とする請求項１に記載の番組情報表示装置。
【請求項６】
放送予定番組の内容を告知する番組情報を取得してこの番組情報を表示用に出力すると共に、取得した番組情報を蓄積する番組情報表示方法であって、放送信号を蓄積するとともに解析し、この解析結果として得られた、少なくとも放送予定番組の番組名および放送予定日時を含む番組属性と合致する前記番組情報を検出し、蓄積された前記放送信号を前記番組情報に関連付けて蓄積させることを特徴とする番組情報表示方法。
【請求項７】
前記放送予定番組の前記番組属性を、前記放送信号に含まれるテロップ文字、テロップ画像、字幕、データ放送、および音声のいずれかから検出することを特徴とする請求項６に記載の番組情報表示方法。
【請求項８】
電子番組表を表示用に出力する場合、前記電子番組表において前記番組属性によって特定される番組に対して関連付けられた、前記放送信号から抽出されたサムネイルを出力させることを特徴とする請求項６に記載の番組情報表示方法。
【請求項９】
ユーザインタフェースで予約操作を受け付けた場合にこの予約操作の時点の前後一定時間範囲内に放送された前記放送信号を解析して得られた、放送予定番組の番組属性について検索し、この検索結果として得られる番組に対して予約を実行することを特徴とする請求項６に記載の番組情報表示方法。
【請求項１０】
ユーザインタフェースで予約操作を受け付けた場合にこの予約操作の時点で前記放送信号を解析し、解析の結果得られた、少なくとも放送予定番組の番組名および放送予定日時を含む番組属性を検出し、この番組属性に合致する番組に対して予約を実行することを特徴とする請求項６に記載の番組情報表示方法。
【発明の詳細な説明】
【技術分野】
【０００１】
本発明は放送予定番組の内容を告知する番組情報を収集して表示する番組情報表示装置および番組情報表示方法に関する。
【背景技術】
【０００２】
近年では、デジタルテレビ放送において電子番組表（ＥＰＧ）が提供されている。この電子番組表は放送予定の番組の番組名、放送予定日時、放送局、出演者、番組内容を文字や静止画で紹介するものである。デジタルテレビ受信機器のユーザは視聴したい番組を探したり、録画や視聴予約をしたりするためにこの電子番組表を利用する。
【０００３】
また、放送局は次回予告や番組宣伝などの映像も頻繁に番組の本編やスポンサコマーシャルに織り交ぜて放送している。例えば連続ドラマについては、実際に本編が放送された直後に、次回放送予定のドラマのあらすじを３０秒から１分程度にまとめた映像を付加することが多い。  
従来、インターネットや放送信号から次回予告や番組宣伝のビデオクリップを取得して番組に関連づけて保存する技術が知られている（例えば特許文献１を参照）。この技術では、このビデオクリップをＥＰＧデータと一緒に放送信号として配信したり、インターネット上のビデオクリップの所在を示すＵＲＬ (Uniform Resource Locator）をＥＰＧデータに組み込んだりする仕様設定によりビデオクリップを取得可能にしている。
【特許文献１】特開２００６−１９１３４８号公報
【発明の開示】
【発明が解決しようとする課題】
【０００４】
しかしながら、上述の技術は次回予告や番組宣伝が例えば番組映像の一部として放送されるような場合に対処することができない。また、ビデオクリップを取得可能にするための仕様設定を必要とする。
【０００５】
本発明の目的は、放送予定番組の内容を告知する番組情報を特別な仕様設定を必要とせずに広範囲に収集できる番組情報表示装置および番組情報表示方法を提供することにある。
【課題を解決するための手段】
【０００６】
本発明の一観点によれば、放送予定番組の内容を告知する番組情報を取得してこの番組情報を表示用に出力する処理部と、処理部によって取得された番組情報を蓄積する番組情報記録部と、放送信号を蓄積する録画部とを備え、処理部は、録画部によって蓄積した放送信号を解析し、解析の結果得られた、少なくとも放送予定番組の番組名および放送予定日時を含む番組属性と合致する番組情報を検出し、蓄積された放送信号を番組情報に関連付けて番組情報記録部に蓄積させる番組情報表示装置が提供される。
【０００７】
本発明の他の観点によれば、放送予定番組の内容を告知する番組情報を取得してこの番組情報を表示用に出力すると共に、取得した番組情報を蓄積する番組情報表示方法であって、放送信号を蓄積するとともに解析し、この解析結果として得られた、少なくとも放送予定番組の番組名および放送予定日時を含む番組属性と合致する番組情報を検出し、蓄積された放送信号を番組情報に関連付けて蓄積させる番組情報表示方法が提供される。
【発明の効果】
【０００８】
これら番組情報表示装置および番組情報表示方法では、放送信号が解析され、この解析結果として得られた少なくとも番組名および放送予定日時に関する番組属性に合致する番組情報が検出され、この番組属性が番組情報に関連付けて蓄積される。これにより、放送予定番組の内容を告知する番組情報を特別な仕様設定を必要とせずに広範囲に収集できる。
【発明を実施するための最良の形態】
【０００９】
以下、本発明の一実施形態に係るハイブリッドビデオレコーダについて添付図面を参照して説明する。このハイブリッドビデオレコーダは放送予定番組の内容を告知する番組情報を収集して表示する番組情報表示装置として機能することが可能である。
【００１０】
図１はこのハイブリッドビデオレコーダの回路構成を概略的に示す。このハイブリッドビデオレコーダは信号処理部１０、デジタルチューナ１１、ＢＣＡＳカード１２スロット１２、光ディスクドライブ１３、磁気ディスクドライブ（ＨＤＤ）１４、フラッシュＲＯＭ１５、ＳＤＲＡＭ１６、赤外線受光部１７、ＨＤＭＩ出力部１８、ＤＳＰ出力部１９、イーサネット（登録商標）インタフェース２０、ＵＳＢインタフェース２１、およびＩＥＥＥ１３９４インタフェース２２を備える。
【００１１】
デジタルチューナ１１は放送局を選局して放送信号を受信し、この放送信号を復調する。信号処理部１０はデジタルチューナ１１から供給される放送信号から番組の映像や音声を取得し、ファイルとして光ディスクドライブ１３または磁気ディスクドライブ１４へ記録したり、これらから再生したりする。ＢＣＡＳカード１２スロット１２はデジタル放送を利用するためにＢＣＡＳカード１２に接続される。光ディスクドライブ１３および磁気ディスクドライブ１４は主に放送番組の映像や音声をファイルとして格納する。フラッシュＲＯＭ１５およびＳＤＲＡＭ１６は信号処理部１０に対して補助的にデータを格納する。赤外線受光部１７はユーザによって操作されるユーザインタフェースであるリモコンＲＣと通信を行う。ＨＤＭＩ出力部１８およびＤＳＰ出力部１９はぞぞれデジタル形式で映像および音声を出力する。イーサネットインタフェース２０、ＵＳＢインタフェース２１、およびＩＥＥＥ１３９４インタフェース２２はそれぞれ外部機器とのリンクをとるために用いられる。
【００１２】
信号処理部１０は様々な制御処理を行うＣＰＵ２３、デジタルチューナ１１で復調された放送信号のストリームに対してパケットの再配置を行うストリームプロセッサ２４、動画に静止画を重畳させた映像の合成を行うＯＳＤ２５、番組の映像信号をデコードするビデオデコーダ２６、版ゴミの音声信号をデコードするオーディオデコーダ２７、および光ディスクドライブ１３および磁気ディスクドライブ１４に接続されるシリアルＡＴＡインタフェース２８を備える。これらコンポーネントはバスにより相互接続される。
【００１３】
この信号処理部１０は、番組の映像や音声の記録および再生を行うだけでなく、放送予定番組の内容を告知する番組情報を放送信号から取得してこの番組情報を表示用に出力する。また、信号処理部１０によって取得された番組情報は、メモリ部として設けられた磁気ディスクドライブ１４に蓄積される。ここで、信号処理部１０は番組情報を識別し得る共通の内容的特徴について放送信号を解析し、この解析結果として番組情報であることを確認した場合に少なくとも番組名および放送予定日時に関する番組属性を番組情報から検出し、この番組属性を番組情報に関連付けて磁気ディスクドライブ１４に蓄積させる。  
共通の内容的特徴の有無は放送信号に含まれるテロップ文字、テロップ画像、字幕、データ放送、および音声のいずれかから検出される。上述のような処理はソフトウェア制御されるＣＰＵ２３により実現されるものである。
【００１４】
図２は信号処理部１０で行われる放送予定収集処理を示す。放送予定収集処理がリモコンＲＣからの設定によりオンされる。この放送予定収集処理は、受信した放送信号を解析し、その映像が次回予告もしくは番組宣伝であるかどうか、放送予定日時はいつか、番組名は何か、などを認識するための処理である。この放送予定収集処理が開始されると、ステップＳ１１で復調後の放送信号を取得し、ステップＳ１２でこの放送信号の解析を行う。この放送信号の解析の結果、次回予告または番組宣伝の番組情報があることがステップＳ１３で検出されると、予告および宣伝の番組情報の記録および管理がステップＳ１４で行われる。具体的には、磁気ディスクドライブ１４がこの番組情報を蓄積する。ステップＳ１５では、この番組情報に対応する番組を電子番組表で検索し、この番組から番組情報へのリンクを作成する。予告および宣伝の番組情報は対応する番組の部分にサムネイル表示される。ステップＳ１５では、収集を継続するかチェックされる。ステップＳ１３で次回予告または番組宣伝の番組情報が見つからなかった場合、およぴ収集を継続する場合には、ステップＳ１１に戻る。他方、放送予定収集処理がオフに設定されていれば、ここで処理が終了する。
【００１５】
図３は図２のステップＳ１２で行われるテロップ文字の解析処理を示す。映像中に挿入されるテロップを認識することにより、その映像が次回予告もしくは番組宣伝であるかどうかなどをできる。テロップは通常映像に重畳して放送されており、テキスト情報として分離されていない。そのため、画面上に「次回予告」「x月y日放送予定」と表示された内容を認識してテキスト情報に変換する必要がある。まず、放送信号から映像信号を取り出してデコードし、連続した静止画としてフレームごとにステップＳ２１でキャプチャする。続いて、ステップＳ２２でフレーム中のテロップ領域の抽出を行う。このテロップ領域があれば、その領域の座標、テロップが出現した時刻及びテロップ領域全体を文字の画素と文字でない画素の２種類に区別した画像情報を生成する。本実施例においては、テロップとは、映像中における画素的な位置が一定時間静止しており、かつ、近傍の背景と比べてテロップ文字の輝度、彩度などが大きく異なる部分から構成されるという性質を持つものとする。文字の画素とそうでない画素を区別した画像情報をもとに、ステップＳ２３で文字認識を行って文字を読み取り、テキスト情報に変換する。さらにステップＳ２４では、そのテキスト情報に、番組の属性を表す単語が含まれているかを調べて取得する。
【００１６】
ここで、番組属性とは、放送日、放送局、開始時刻、終了時刻、番組名のことを指す。含まれているか調べる単語とは、具体的には「次回予告」、「次週予告」、「来週のこの時間は」、「ｘ月ｙ日」、「ｘ時ｙ分」、「第ｘ話」などであり、これらのテキストの有無を調べることになる。これらのテキストがある番組の終了時刻付近に出現していれば、その映像は次回予告映像であると判定することができるし、そうでない場合でも、出現したテキストの組み合わせにより番組宣伝であるかどうかを判定する。ただし、判定してから映像を記録し始めたのでは予告の先頭の映像が記録できないので、ＨＤＤ１４に常時記録しておき、予告映像であると判定されたとき以外は記録された映像を上書きし続けるものとする。記録するためのＨＤＤ１４の容量としては、約１０分程度の映像が保存できる領域があればよい。すなわち、１０分経過しても予告映像であると判定されなかった映像は新しい映像に上書きされることになる。が、ＨＤＤなどの記録メディアが十分に確保されている場合はもっと長い時間でもよいし、容量さえ許せば上書きせずに恒久的に残しておいてもよい。このようにして、記録しておいた予告映像には識別子（ＩＤ）を振っておく。予告映像とそれに該当するＥＰＧの番組情報の対応をとるため、記録した局、時刻、曜日、文字認識したテキスト情報の日時に関する単語、録画予約の属性（周期的な予約か否か）などをもとに、該当する番組を決定し、該当する番組情報の予告映像ＩＤを格納する。
【００１７】
図２に示す放送予定収集処理は、番組終了前から終了時刻までの一定期間間に限定して動作させることにして処理負荷を下げてもよいし、常時動作させて予告だけでなく番組宣伝などを広く検出できるようにしていてもよい。
【００１８】
図４は  図２に示すステップＳ１２において行われる字幕解析処理を示す。字幕データは映像、音声と同様に放送されてくるが、テロップと異なりテキスト情報がそのまま放送されるので文字認識する必要はない。字幕データがあるかステップＳ３１で解析し、ステップＳ３２で字幕データの中に番組の属性を表す単語がないかを調べるて取得する。
【００１９】
図５は図２に示すステップＳ１２において行われるデータ放送解析処理を示す。データ放送はBML(Broadcast Markup Language)形式で放送されるため、ステップＳ３１でパース処理を施すして解析し、ステップＳ４２でその後のデータに番組の属性を表す単語がないかを調べて取得する。
【００２０】
図６は図２に示すステップＳ１２において行われる音声解析処理を示す。この処理では、ステップＳ５１で音声信号をデコードし、ステップＳ５２で音声認識処理を行ってテキスト情報に変換する。ステップＳ５３では、そのテキスト情報の中に番組属性を表す単語がないかを調べて取得する。
【００２１】
図７は図２に示すステップＳ１２において行われるテロップ画像解析処理を示す。この処理は、図３の処理と同様の映像キャプチャをステップＳ６１で行い、ステップＳ６２でテロップ領域の抽出を行う。続くステップＳ６３では、文字認識をする代わりに、あらかじめ与えられた図１２に示すような画像パターンとの照合を行い、マッチすれば予告映像であると判定する。ただし、これだけでは予告映像であることがわかっても、該当する番組が特定できない。そこで、この番組の予約属性が毎週予約、毎日予約などで次回放送予定日時が特定できれば、それにより該当する番組を特定する。
【００２２】
図８は信号処理部１０で抽出されるＥＰＧデータのフォーマットの一例を示し、図９は信号処理部１０で抽出されるＥＰＧデータの一例を示し、図１０は信号処理部１０で抽出されるＥＰＧデータのフィールド仕様を示す。
【００２３】
図１１は信号処理部１０から表示用に出力される電子番組表の画像を一例として示す図である。信号処理部１０は電子番組表を表示用に出力する場合に電子番組表において番組属性によって特定される番組に対して放送予定番組の内容を告知する番組情報のサムネイルを付加し、リモコンＴＣの操作でサムネイルを指定したときにこのサムネイルの番組情報を表示用に出力させる。電子番組表は、縦軸に時刻、横軸に放送局（チャンネル）をとった形式で表示される。この例では、左上に表示している日時は、現在表示されている番組表の日時を表している。予告映像あるいは番組宣伝が記録され、ＥＰＧデータとリンクされていれば、図１１のいくつかの番組に示すようにサムネイルが表示される。リモコンＲＣの操作としてカーソルを合わせて決定ボタンを押すことにより予告映像を視聴することができる。
【００２４】
図１３はリモコンＲＣで行われる録画予約ボタン操作に対する処理を示す。予告映像・番組宣伝が表示されている間またはその後、ユーザの指示により予告や宣伝に該当する番組の録画予約や視聴予約を行う場合、この処理により番組宣伝を見たときに放送予定日時や番組名をメモしたり記憶したりすることなく録画予約することが可能となる。信号処理部１０はリモコンＲＣで例えば録画の予約操作を行った場合にこの予約操作の時点から遡って一定時間範囲内に放送された番組情報についてＨＤＤ１４をステップＳ７１で検索し、この検索結果として得られる番組候補をステップＳ７２で表示し、ステップＳ７３で確認または選択操作があるかチェックする。いずれかの操作が検出されると、ステップＳ７４で番組情報の番組属性に合致する番組に対して予約を実行する。
【００２５】
具体的には、ユーザが予約ボタンを押下したら、それ以前に表示された予告映像または番組宣伝に該当する番組を検索する。検索する範囲は、例えば予約ボタン押下から５分遡った時点までの間とする。検索する時間範囲を長くすると、その間に表示された予告映像または番組宣伝も複数あることが予想される。その場合は、番組情報をリスト化して表示し、ユーザがリモコンＲＣの操作により選択する。ユーザにとっては選択操作がわずらわしいかもしれないが、番組宣伝映像集のようにも捉えれば、選ぶ楽しみを感じてもらうことができる。リストの表示順は、放送予定の日時順、番組宣伝の放送された日時順、番組宣伝が放送された回数順などでソートされる。なお、上記は録画予約に限って説明したが、視聴予約でも同様の処理となる。
【００２６】
ちなみに、他の検索方法としては、表示された予告映像または番組宣伝のうち、最も予約ボタン押下の時刻に近い番組候補を検索し、該当する番組の録画予約を行ってもよい。予約ボタンを押下するだけで録画予約まで実行することができ、ユーザにとって操作が簡便となる。
【００２７】
本実施形態では、放送信号が番組情報を識別し得る共通の内容的特徴について解析され、この解析結果として番組情報であることを確認した場合に少なくとも番組名および放送予定日時に関する番組属性が番組情報から検出され、この番組属性が番組情報に関連付けてメモリ部に蓄積される。これにより、放送予定番組の内容を告知する番組情報を特別な仕様設定を必要とせずに広範囲に収集できる。
【００２８】
尚、本発明は上述の実施形態に限定されず、発明の要旨を逸脱しない範囲で様々に変形可能である。
【００２９】
例えば、図１４はリモコンＲＣで放送予定視聴中に行われる録画予約ボタン操作に対する処理を示す。この処理では、信号処理部１０が放送予定の番組を告知する番組情報の放送中にリモコンＲＣで録画の予約操作を行った場合にステップＳ８１でこの予約操作の時点で放送信号から番組情報を取得し、ステップＳ８２〜Ｓ８５において放送信号の解析を行い、この番組情報から少なくとも番組名および放送予定日時に関する番組属性を検出して取得する。このあと、次回予告または番組宣伝の番組情報があることがステップＳ８６で検出されると、予告および宣伝の番組情報の記録および管理がステップＳ８７で行われる。ステップＳ８８では、この番組情報に対応する番組を電子番組表で検索し、この番組から番組情報へのリンクを作成する。この後、ステップＳ８９で番組属性に合致する番組に対して予約を実行する。尚、ステップＳ８６で次回予告または番組宣伝の番組情報が見つからない場合には、ステップＳ９０でエラー表示を行ってから処理を終了する。
【００３０】
すなわち、上述の処理は予告映像・番組宣伝が表示されている間に、ユーザの指示により画像をキャプチャしてテロップ認識し、予告や宣伝に該当する番組の録画予約または視聴予約を行うものである。この処理では、ユーザから指示のあった瞬間の静止画像のみをキャプチャしてテロップ認識を行うので、常時テロップ認識処理を実施する必要がなく、処理負荷を下げる効果が得られる。
【００３１】
さらに、他の変形例として、予告や宣伝に該当する番組の情報を他の機器に送信する処理を追加してもよい。本発明を例えば携帯電話に適用する場合、携帯電話のＴＶ視聴機能を用いて視聴しているときに予告映像や番組宣伝を見つけ、該当する番組情報を自宅のレコーダなどに転送して録画予約する、という使い方がある。
【００３２】
文字情報のみからなる番組情報しかＥＰＧデータから取得できない場合でも、上述のように電子番組表の中の番組にサムネイルを表示することができ、番組の内容を視覚的に表示することができる。また、予告映像や番組宣伝を見ている時にワンタッチで該当する番組の録画予約を行うことができ、ユーザの手間が省ける。尚、サムネイルは静止画や動画に置換えてもよい。
【図面の簡単な説明】
【００３３】
【図１】図１は本発明の一実施形態に係るハイブリッドビデオレコーダの回路構成を概略的に示す図である。
【図２】図１に示す信号処理部で行われる放送予定収集処理を示す図である。
【図３】図２に示す放送信号の解析ステップにおいて行われるテロップ文字解析処理を示す図である。
【図４】図２に示す放送信号の解析ステップにおいて行われる字幕解析処理を示す図である。
【図５】図２に示す放送信号の解析ステップにおいて行われるデータ放送解析処理を示す図である。
【図６】図２に示す放送信号の解析ステップにおいて行われる音声解析処理を示す図である。
【図７】図２に示す放送信号の解析ステップにおいて行われるテロップ画像解析処理を示す図である。
【図８】図１に示す信号処理部で抽出されるＥＰＧデータのフォーマットの一例を示す図である。
【図９】図１に示す信号処理部で抽出されるＥＰＧデータの一例を示す図である。
【図１０】図１に示す信号処理部で抽出されるＥＰＧデータのフィールド仕様を示す図である。
【図１１】図１に示す信号処理部から表示用に出力される電子番組表の画像を一例として示す図である。
【図１２】図７に示すテロップ画像解析処理において照合される画像パターンを示す図である。
【図１３】図１に示すリモコンで行われる録画予約ボタン操作に対する処理を示す図である。
【図１４】図１に示すリモコンで放送予定視聴中に行われる録画予約ボタン操作に対する処理を示す図である。
【符号の説明】
【００３４】
１０…信号処理部、１４…磁気ディスクドライブ、１８…ＨＤＭＩ出力部、１９…ＤＳＰ出力部、２３…ＣＰＵ、２４…ストリームプロセッサ、２６…ビデオデコーダ、２７…オーディオデコーダ、２８…シリアルＡＴＡインタフェース、ＲＣ…リモコン。
【図１】
2010011403.tif 000003
【図２】
2010011403.tif 000004
【図３】
2010011403.tif 000005
【図４】
2010011403.tif 000006
【図５】
2010011403.tif 000007
【図６】
2010011403.tif 000008
【図７】
2010011403.tif 000009
【図８】
2010011403.tif 000010
【図９】
2010011403.tif 000011
【図１０】
2010011403.tif 000012
【図１１】
2010011403.tif 000013
【図１２】
2010011403.tif 000014
【図１３】
2010011403.tif 000015
【図１４】
2010011403.tif 000016
【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
番組内容を示す番組情報を取得し、該番組情報を表示用に出力する処理部と、
前記処理部によって取得された前記番組情報を格納する番組情報格納部と、放送信号を格納する信号格納部とを含む格納部とを具備し、
前記処理部は、
前記信号格納部により格納された前記放送信号を解析し、解析の結果得られた、少なくとも番組名および該番組の放送日時を含む番組属性と合致する前記番組情報を検出し、格納された前記放送信号を前記番組情報に関連付けて前記格納部に格納させる番組情報表示装置。
【請求項２】
前記処理部は前記番組の番組属性を、少なくとも前記放送信号に含まれるテロップ文字、テロップ画像、テロップ情報、データ放送、および音声のいずれかから検出する請求項１に記載の番組情報表示装置。
【請求項３】
前記処理部は、電子番組表を表示用に出力する場合、前記電子番組表において前記番組属性によって特定される番組に、前記放送信号から抽出されたサムネイルを関連付けて出力する請求項１に記載の番組情報表示装置。
【請求項４】
前記処理部は、ユーザインタフェースを介して予約操作を受け付けた場合に、この予約操作時点の前後一定時間範囲内の放送信号を解析することにより得られる番組の番組属性を用いて前記番組情報格納部を検索し、この検索結果として得られる番組を再生予約または録画予約する請求項１に記載の番組情報表示装置。
【請求項５】
前記処理部はユーザインタフェースを介して予約操作を受け付けた時点で前記放送信号を解析し、解析の結果得られた少なくとも番組名および番組の放送日時を含む番組属性を検出し、前記予約操作により要求される番組の番組属性に合致する番組属性を有する番組を録画予約または再生予約する請求項１に記載の番組情報表示装置。
【請求項６】
番組内容を示す番組情報を取得し、該番組情報を表示用に出力し、取得した前記番組情報を格納する番組情報表示方法であって、
放送信号を格納および解析し、
前記解析の結果得られた、少なくとも番組名および該番組の放送日時を含む番組属性と合致する前記番組情報を検出し、
格納された前記放送信号を前記番組情報に関連付けて、前記格納部に格納することを特徴とする番組情報表示方法。
【請求項７】
前記番組の前記番組属性を、前記放送信号に含まれるテロップ文字、テロップ画像、テロップ情報、データ放送、および音声のいずれかから検出する請求項６に記載の番組情報表示方法。
【請求項８】
電子番組表を表示用に出力する場合、前記電子番組表において前記番組属性によって特定される番組に、前記放送信号から抽出されたサムネイルを関連付けて出力する請求項６に記載の番組情報表示方法。
【請求項９】
ユーザインタフェースを介して予約操作を受け付けた場合に、この予約操作時点の前後一定時間範囲内に放送される放送信号を解析することにより得られる番組の番組属性を検索し、
この検索結果として得られる番組を再生予約または録画予約する請求項６に記載の番組情報表示方法。
【請求項１０】
ユーザインタフェースを介して予約操作を受け付けた時点で前記放送信号は解析され、該解析の結果得られた少なくとも番組名および該番組の放送日時を含む番組属性が検出され、前記予約操作により要求される番組の番組属性に合致する番組属性を有する番組を録画予約または再生予約する請求項６に記載の番組情報表示方法。